(57)【要約】【課題】光学系全系のうちの中間に位置するレンズ群内の偏心調整を行う場合、完成状態で調整を行うものは鏡胴外部に露出部を設けるので、設計の選択自由度が制約される。  レンズ群の段階で偏心調整を行うにもかかわらず、完成状態での性能が確認できる偏心調整装置が必要となる。【解決手段】調整装置１は基板２０の一方の側に光学システム部２，他方の側に偏心調整部１５が設けられている。光学システム部２には基準となる第３レンズ群５を含む調整用鏡胴１３とチャート投影光学系があり、被調整レンズ４ａを含む第２レンズ群４を調整用鏡胴１３に取り付け、さらにその上に基準となる第１レンズ群３が取り付けられる。開口部９ａを有する絞り板９と重なったチャッキング部材１０が偏心調整部１５側から光学システム部２に挿入され、被調整レンズ４ａをつかみ、水平面内で移動し偏心調整する。【選択図】  図１
2005091728.tif 000002
【特許請求の範囲】
【請求項１】
２個以上のレンズ群からなる光学系の偏心調整装置であって、基板と、鉛直方向に光軸を有し該基板に留められる調整用鏡胴およびチャート投影光学系を含む光学システム部と、前記基板に設けられた偏心調整部と、を有し、前記調整用鏡胴は、偏心を調整すべきレンズ群以外のレンズ群を基準レンズ群として具備し、前記偏心調整部は、前記偏心を調整すべきレンズ群の内、偏心調整すべき被調整レンズをチャッキングする爪部を有するチャッキング部材を有し、該チャッキング部材は、前記偏心調整部からの操作により前記被調整レンズをチャッキング後、水平面内で２次元的に移動することが可能であり、該チャッキング部材の前記爪部の近傍に、前記被調整レンズを固定するための光硬化型接着剤を注入して光を照射する光透過部を有し、前記光学系に備えるべき絞りに相当する絞り開口部を有することを特徴とするレンズ偏心調整装置。
【請求項２】
請求項１に記載のレンズ偏心調整装置において、前記偏心調整部は前記チャッキング部材を３次元的に移動可能に構成されていることを特徴とするレンズ偏心調整装置。
【請求項３】
請求項１または２に記載のレンズ偏心調整装置において、前記調整用鏡胴は側面開口部を有し、前記チャッキング部材は、前記側面開口部を通して前記光学システム部への挿入退避が可能な構成になっていることを特徴とするレンズ偏心調整装置。
【請求項４】
請求項３に記載のレンズ偏心調整装置において、前記チャッキング部材の挿入退避は、前記偏心調整部の支持軸を中心とする回動によることを特徴とするレンズ偏心調整装置。
【請求項５】
請求項３に記載のレンズ偏心調整装置において、前記チャッキング部材の挿入退避は、前記偏心調整部の水平方向の直進移動によることを特徴とするレンズ偏心調整装置。
【請求項６】
請求項１ないし５のいずれか１つに記載のレンズ偏心調整装置において、前記絞り開口部はチャッキング部材に形成されていることを特徴とするレンズ偏心調整装置。
【請求項７】
請求項１ないし５のいずれか１つに記載のレンズ偏心調整装置において、前記絞り開口部はチャッキング部材とは別の絞り板に形成されていることを特徴とするレンズ偏心調整装置。
【請求項８】
請求項７に記載のレンズ偏心調整装置において、前記絞り板は、前記チャッキング部材に一端を回動可能に取り付けられ、前記光学システム部から退避可能に構成されていることを特徴とするレンズ偏心調整装置。
【請求項９】
請求項１ないし８のいずれか１つに記載のレンズ偏心調整装置において、前記爪部は前記被調整レンズの外周部と少なくとも２カ所で接触することを特徴とするレンズ偏心調整装置。
【請求項１０】
請求項１ないし９のいずれか１つに記載のレンズ偏心調整装置において、前記チャッキング部材は弾性部材で形成されていることを特徴とするレンズ偏心調整装置。
【請求項１１】
請求項１ないし１０のいずれか１つに記載のレンズ偏心調整装置において、前記爪部には前記被調整レンズに接触する面に弾性部材が貼り付けてあることを特徴とするレンズ偏心調整装置。
【請求項１２】
請求項１ないし１１のいずれか１つに記載のレンズ偏心調整装置において、前記チャッキング部材の前記爪部の周辺の、前記被調整レンズの外周部に対応する位置に接着剤注入穴と光照射穴を兼ねる２カ所以上の前記光透過部を設けたことを特徴とするレンズ偏心調整装置。
【請求項１３】
請求項１ないし１２のいずれか１つに記載のレンズ偏心調整装置により調整されたことを特徴とする鏡胴。
【請求項１４】
請求項１３に記載の鏡胴を用いたことを特徴とするカメラ。
【請求項１５】
請求項１ないし１２のいずれか１つに記載のレンズ偏心調整装置を用い、前記チャッキング部材を前記光学システム部から退避させ、前記基板に所望の光学系に対応する基準の第３レンズ群を有する調整用鏡胴を留め、偏心を調整すべき第２レンズ群を所定の位置に留め、基準の第１レンズ群を所定位置に留めて、前記チャッキング部材を前記光学システム部に挿入し、前記被調整レンズをチャッキングし、光源を点灯させてチャートを照明し、所定のスクリーン上に投影された像を見ながら前記偏心調整部によって前記チャッキング部材を水平面内で操作し、前記像が最良の状態になった位置で前記第１レンズ群を外し、必要が有れば絞り開口部を前記光学システム部から退避させ、前記光透過部から光硬化型接着剤を注入し、同方向から該光硬化型接着剤の硬化に必要な光を照射して前記被調整レンズを前記第２レンズ群の鏡枠に固定し、前記チャッキング部材を前記被調整レンズから開放し、前記光学システム部から退避させ、前記第２レンズ群を取り出すことを特徴とする偏心調整方法。
【発明の詳細な説明】
【技術分野】
【０００１】
本発明は、デジタルカメラ・銀塩カメラ・モバイル用撮影レンズ・ビデオカメラなど、撮影レンズ全般に用いられる光学系の偏心調整装置に関する。
【背景技術】
【０００２】
近年、レンズ系の小型化により、各レンズ群の偏心感度が高くなり、レンズ群に許容される偏心量は数μmmレベルまで抑えることが要求されている。そのため従来のメカ精度だけでは求められる光学性能を満足できない状況にある。
そのため、撮影光学系などにおいては、構成する光学系の偏心調整を行うことが一般的に  行われている。
ところで、この偏心調整について、従来は、所定の光学系の中間に位置する光学ユニットに偏心調整が必要な場合、調整を必要とする光学ユニットを光学ユニット単位で偏心調整し、所定の光学系に取り付けるといった方法、あるいはダミーとする別の光学系を用いて被調整レンズ群を前群位置に仮置きして偏心調整後、被調整光学ユニットを所定の光学系に取り付けるといった方法などが知られている。
しかしながら、この方法では、偏心調整後の被調整光学ユニットの光学性能を、所定の光学系の最終性能として評価しながら偏心調整することができない。
【０００３】
この問題を解決する手段が提案されている（例えば、特許文献１、特許文献２  参照。）。この提案によれば、鏡筒内においてレンズを保持するレンズ保持手段を有するレンズ装置において、前記レンズ保持手段は、前記鏡筒の外部に露出する露出部を有し、この露出部に、前記鏡筒の外部から調整力を受けて光軸に直交する方向の位置調整がなされる。
特許文献２にはさらに、被調整光学系が、光軸に垂直な平面のある所定方向にのみ移動調節する第一調節手段と、この所定方向に略直交する方向にのみ移動する第２調節手段とを有する。
この方法では、鏡筒内においてレンズを保持する保持手段に、鏡筒の外周部に露出する露出部を設けるため、「露出部」の構成に大きなスペースをとられる。また、調整する光学ユニットが光軸方向に移動する必要がある場合、カムリングと直進移動枠による移動構造が取れなくなるため、その移動構造などが限定されてしまい設計自由度がなくなる。しかも、調整する光学ユニットが、調整工程において調整不能だった場合、光学系全体を再度分解し、修理などを行う必要があるため、組み立て調整工程が煩雑になることが予測される。
【０００４】
【特許文献１】特開平１１−１７４３０１号公報（第３頁、第１図）
【特許文献２】特開平１１−２７１５８７号公報（第３頁、第１図）
【発明の開示】
【発明が解決しようとする課題】
【０００５】
光学系全系のうちの中間に位置する群の群内の偏心調整を行い、かつそれを光学系全系で性能を確認する場合、従来例にあるような「露出部」と称する鏡胴外周部にまで及ぶ偏心調整のための部材を設けてしまうと、「露出部」の構成のために、鏡胴内スペースがとられてしまうことや、鏡胴の変倍機構（ズーム機構）などの方式が限定されてしまう。
鏡胴レイアウトのスペース効率と、鏡胴変倍機構などの設計選択自由度を確保するためには、偏心調整機構を調整治工具に持たせた形で、最終光学性能を光学系全系で確認できるようにする。
また、あわせて鏡胴完成直前に偏心調整後の光学系全系の性能確認を行うシステムにしてしまうと、所望の性能が出なかった場合、その鏡筒の分解修理が必要となり、工程が煩雑となってしまう。
よって、完成直前ではない工程にて光学系全系の性能確認が可能な構成とするのが望ましい。
【０００６】
全光学系を通した状態で性能確認する場合、「絞り」が無いと、光学設計上は考慮されていない収差などが発生してしまうため、正しい性能確認が不可能である。そのため、光学系の所定の位置に「絞り」を配置することは必須である。しかしながら、この「絞り」と「被調整レンズ」の位置が近い場合、ダミーとしての「絞り」のレイアウトスペースが取れない。
したがって、光学系全系を通した状態で最終性能を確認しながら中間に位置する群の群内の偏心調整を調整治具にて行う場合、その「被調整レンズ」と「絞り」の位置が近い場合、（具体的には１ｍｍ程度の距離の場合）「絞り」をどこに配置するかが問題となる。
また、調整後の「被調整レンズ」の固定を紫外線（ＵＶ）硬化型の接着剤を使用する場合、「絞り」が邪魔となってＵＶ照射の効率が著しく低下する。
【課題を解決するための手段】
【０００７】
請求項１に記載の発明では、２個以上のレンズ群からなる光学系の偏心調整装置であって、基板と、鉛直方向に光軸を有し該基板に留められる調整用鏡胴およびチャート投影光学系を含む光学システム部と、前記基板に設けられた偏心調整部と、を有し、前記調整用鏡胴は、偏心を調整すべきレンズ群以外のレンズ群を基準レンズ群として具備し、前記偏心調整部は、前記偏心を調整すべきレンズ群の内、偏心調整すべき被調整レンズをチャッキングする爪部を有するチャッキング部材を有し、該チャッキング部材は、前記偏心調整部からの操作により前記被調整レンズをチャッキング後、水平面内で２次元的に移動することが可能であり、該チャッキング部材の前記爪部の近傍に、前記被調整レンズを固定するための光硬化型接着剤を注入して光を照射する光透過部を有し、前記光学系に備えるべき絞りに相当する絞り開口部を有することを特徴とする。
【０００８】
請求項２に記載の発明では、請求項１に記載のレンズ偏心調整装置において、前記偏心調整部は前記チャッキング部材を３次元的に移動可能に構成されていることを特徴とする。
請求項３に記載の発明では、請求項１または２に記載のレンズ偏心調整装置において、前記調整用鏡胴は側面開口部を有し、前記チャッキング部材は、前記側面開口部を通して前記光学システム部への挿入退避が可能な構成になっていることを特徴とする。
請求項４に記載の発明では、請求項３に記載のレンズ偏心調整装置において、前記チャッキング部材の挿入退避は、前記偏心調整部の支持軸を中心とする回動によることを特徴とする。
【０００９】
請求項５に記載の発明では、請求項３に記載のレンズ偏心調整装置において、前記チャッキング部材の挿入退避は、前記偏心調整部の水平方向の直進移動によることを特徴とする。
請求項６に記載の発明では、請求項１ないし５のいずれか１つに記載のレンズ偏心調整装置において、前記絞り開口部はチャッキング部材に形成されていることを特徴とする。
請求項７に記載の発明では、請求項１ないし５のいずれか１つに記載のレンズ偏心調整装置において、前記絞り開口部はチャッキング部材とは別の絞り板に形成されていることを特徴とする。
【００１０】
請求項８に記載の発明では、請求項７に記載のレンズ偏心調整装置において、前記絞り板は、前記チャッキング部材に一端を回動可能に取り付けられ、前記光学システム部から退避可能に構成されていることを特徴とする。
請求項９に記載の発明では、請求項１ないし８のいずれか１つに記載のレンズ偏心調整装置において、前記爪部は前記被調整レンズの外周部と少なくとも２カ所で接触することを特徴とする。
請求項１０に記載の発明では、請求項１ないし９のいずれか１つに記載のレンズ偏心調整装置において、前記チャッキング部材は弾性部材で形成されていることを特徴とする。
【００１１】
請求項１１に記載の発明では、請求項１ないし１０のいずれか１つに記載のレンズ偏心調整装置において、前記爪部には前記被調整レンズに接触する面に弾性部材が貼り付けてあることを特徴とする。
請求項１２に記載の発明では、請求項１ないし１１のいずれか１つに記載のレンズ偏心調整装置において、前記チャッキング部材の前記爪部の周辺の、前記被調整レンズの外周部に対応する位置に接着剤注入穴と光照射穴を兼ねる２カ所以上の前記光透過部を設けたことを特徴とする。
請求項１３に記載の発明では、請求項１ないし１２のいずれか１つに記載のレンズ偏心調整装置により調整された鏡胴を特徴とする。
請求項１４に記載の発明では、請求項１３に記載の鏡胴を用いたカメラを特徴とする。
【００１２】
請求項１５に記載の発明では、請求項１ないし１２のいずれか１つに記載のレンズ偏心調整装置を用い、前記チャッキング部材を前記光学システム部から退避させ、前記基板に所望の光学系に対応する調整用鏡胴を留め、偏心を調整すべきレンズ群を所定の位置に留め、前群となる基準のレンズ群を留めて、前記チャッキング部材を前記光学システム部に挿入し、前記被調整レンズをチャッキングし、光源を点灯させてチャートを照明し、所定のスクリーン上に投影された像を見ながら前記偏心調整部によって前記チャッキング部材を水平面内で操作し、前記像が最良の状態になった位置で前記前群となるレンズ群を外し、必要が有れば絞り開口部を前記光学システム部から退避させ、前記光透過部から光硬化型接着剤を注入し、同方向から該光硬化型接着剤の硬化に必要な光を照射して前記被調整レンズを前記第２レンズ群の鏡枠に固定し、前記チャッキング部材を前記被調整レンズから開放し、前記光学システム部から退避させ、前記第２レンズ群を取り出す偏心調整方法を特徴とする。
【発明の効果】
【００１３】
本発明はレンズ群というユニットレベルでの偏心調整でありながら、完成品と同等の条件で偏心調整ができるため、完成品のレンズ保持手段に鏡胴の外周部に露出する露出部を設ける必要がなくなる。したがって小型低コスト化がはかれる。
チャッキング部材の光学システム部への挿入退避機構により、被調整レンズ群の交換等がスムーズに行える。
被調整レンズとの接触を少なくとも２カ所で行うので、被調整レンズの安定した移動調整ができ、作業時間の短縮が図れる。
被調整レンズのチャッキングをしたまま、光硬化型接着剤への光照射が効率的に行える。
【発明を実施するための最良の形態】
【００１４】
調整用鏡胴とチャート投影光学系からなる光学システム部と、偏心調整部とが同一基板に隣接して設けられており、調整用鏡胴には基準レンズ群と被調整レンズ群が取り付けられ、偏心調整部から延びるチャッキング部材が、調整用鏡胴の側面開口部を通して被調整レンズをチャッキングし、チャートの投影像を見ながら、偏心調整部の操作により、被調整レンズを水平面内で移動させて偏心調整を行う。チャッキング部材は、爪部を用いて被調整レンズの外周部をチャッキングし、被調整レンズの中央部付近は絞りに相当する開口部を有し、被調整レンズの外周部近傍は光硬化型接着剤の注入口の確保と、硬化ための光照射を遮らないことのために複数カ所の光透過部を設けておく。
【実施例１】
【００１５】
以下に実施形態に従って本発明を説明する。
図１は本発明の実施形態を説明するための一部断面図である。
同図において符号１は調整装置、２は光学システム部、３は第１レンズ群、４は第２レンズ群、５は第３レンズ群、６は光源、７はチャート、８はスクリーン、９は絞り板、１０はチャッキング部材、１１は絞り支持軸、１２は絞り回動つまみ、１３は調整用鏡胴、１４はチャート調整ステージ、１５は偏心調整部、１６はｚ１ステージ、１７はｚ２ステージ、１８はｘｙステージ、１９はステージ支持軸、２０は基板をそれぞれ示す。
本調整装置は、偏心の影響が最も大きく現れるレンズ群が第２レンズ群であり、その中の特に第１レンズの偏心がレンズ性能劣化に最も大きく関与する構成のレンズ系に適した装置として構成している。調整すべきレンズがどこにあるかによって、調整装置の構成は異なるが、いずれの場合も本発明の主旨は適用することができる。例えば、第２レンズ群と第３レンズ群が実質一体構成にできる場合は、レンズ系のつかない調整用鏡胴に被調整レンズ群としての第２レンズ群を取り付けることにより調整を行うことになる。
【００１６】
調整装置１は大きく分けて光学システム部２と偏心調整部１５とからなり、両者は水平面に設けられた共通の基板２０の上に載っている。光学システム部２は光軸を鉛直方向に向けて第１レンズ群３、第２レンズ群４、第３レンズ群５がこの順で上から並んでいるものとし、基板２０上に留められた調整用鏡胴１３に取り付けられている。第１レンズ群３と第３レンズ群５は基準となるレンズ群であり、設計値に合致するよう特別に調整され性能が保証されている。第２レンズ群４は被調整レンズ群であり、その着脱のため第１レンズ群３は必要に応じて着脱ができるようになっている。
調整用鏡胴１３や、レンズ群の留め方は実用化されている任意の手法を採用し得る。例えば、ねじ込み式でも良いし、精度の高い嵌合による落とし込み方式でも良い。第１レンズ群はピント調整を行う都合上ねじ込み式が適している。
【００１７】
第２レンズ群の一番上には光軸の偏心を調整したい第１レンズ４ａがあり、そのすぐ上には、所定の絞り開口部９ａを有する絞り板９を置いて実使用状態と同じ条件にして偏心調整ができるようにする。以後、偏心を調整したい第１レンズ４ａを被調整レンズ４ａと呼ぶ。絞り板９は、隣接する偏心調整部１５から延びるチャッキング部材１０に載せられており、絞り回動つまみ１２を回して絞り支持軸１１の回りに回動させることによって、単独で光学システム部から退避できる構成になっている。
チャッキング部材１０は、絞り開口部９ａのほぼ同位置に、絞り開口部９ａを通る光束を遮らない程度のやや大きめの開口部１０ｂを有し、被調整レンズ４ａの周囲を、上方からつかむように保持して水平面内で２次元的に移動させるものであるが、詳細は後述する。
調整用鏡胴１３の下には投影用のチャート板６が置かれ、その下に設けられた光源７によって照明される。チャート板６はほぼ中心部に投影用のチャート６ａを有し、周辺部が遮光部６ｂになっている。レンズ系を通ったチャート６ａの像は第１レンズ群３から所定の距離離れた位置におかれたスクリーン８に投影される。チャート板６の調整用鏡胴１３に対する距離は必要に応じて変えられるよう、チャート調整ステージ１４によって、矢印Ａ出示すように上下方向の移動が可能なようになっている。
【００１８】
偏心調整装置１５はｚ１ステージ１６と、それを載せたｚ２ステージ１７、さらにそれらを載せたｘｙステージ１８を有する。ｘｙステージ１８は、基板２０に保持されたステージ支持軸１９によって水平面内に回動可能に支持されている。
ｚ１ステージ１６とｚ２ステージ１７は、それぞれ矢印Ｂ、Ｃで示すように、共に鉛直方向のみの移動ができる。ｚ２ステージ１７は主として被調整レンズ鏡胴の大きさに合わせて位置調整をするいわゆる粗動用のためのもであり、ｚ１ステージ１６は被調整レンズ４ａのチャッキングのための微少量移動をさせるためのものである。そのため、ｚ１ステージ１６には、光学システム部方向に延びるチャッキング部材１０が一体的に固定されており、下方向に移動させることにより、被調整レンズ４ａの周囲を上からつかむように軽く押さえつける。ｚ１ステージを上方向に移動させることによって、チャッキング部材１０は第１レンズ４ａから離れる。ｚ１ステージとｚ２ステージは、微動機構付ステージとして組み合わせたものが実用化されているのでそれを用いると良い。
ｘｙステージ１８は実際の偏心調整を行うためのもので、ｘステージ、ｙステージによって水平方向に２次元的に微少量の移動が可能になっている。
ステージ支持軸１９はｚ１、ｚ２両ステージを載せたｘｙステージをそっくり水平面内で回動することにより、チャッキング部材１０が絞り板９と共に光学システム部２から退避して、第２レンズ群４を調整用鏡胴１３から取り外しできるようにしてある。
【００１９】
以下、本調整装置の使用方法を説明する。
調整用鏡胴は、いろいろなレンズ系に対応して、それぞれ予め本調整装置に組み込めるように外径等を合わせて用意してある。用意してある調整用鏡胴は、第１レンズ群と第３レンズ群だけがつけてある。ただし、レンズ系によっては第３レンズが無い場合も有りうる。
偏心調整を行いたいレンズ系に対応した調整用鏡胴１３を選び、調整装置１の所定の位置に留める。このとき、チャッキング部材１０が取り付けの邪魔をしないように、ｘｙステージ１８をステージ支持軸１９の回りに回動して、チャッキング部材１０が光学システム部の外になるよう退避させておく。
第１レンズ群を取り外し、被調整レンズ群としての第２レンズ群を所定の位置にはめ込む。第１レンズ群を元に戻して、さらに、ｘｙステージを回動させて、絞り板９を載せたチャッキング部材１０を調整用鏡胴１３の側面開口部１３ａから挿入させる。
【００２０】
図２はチャッキング部材を光学システム部に挿入した状態を説明する一部省略断面図である。
ｚ２ステージ１７は対象となる調整用鏡胴１３の側面開口部１３ａの高さに応じて矢印Ｃ方向の移動により位置決めし、ｚ１ステージ１６は被調整レンズのチャッキング及びその開放に必要な矢印Ｂ方向の移動量のうち最上位の位置に設定しておく。その状態でステージ支持軸１９を回動して、チャッキング部材１０を光学システム部２に挿入するとチャッキング部材１０の複数の爪部１０ａは被調整レンズ４ａの直上で、且つ接触しない状態で位置する。ｘｙステージのステージ支持軸まわりの回動停止位置が、絞り板９の設計上の所定位置になるようｘｙステージを初期設定しておく。
ｚ１ステージ１６を所定量下げるとチャッキング部材１０が被調整レンズ４ａの方向に下がり、複数の爪部１０ａが被調整レンズ４ａの外形部に接触し、チャッキング部材１０等の弾性力による僅かな力で被調整レンズ４ａを下方に押圧し、図１に示す状態になる。この押圧力は別途測定することができ、ｚ１ステージ１６の下方移動量で調節することができるので、特定の移動量を指定することで、常時所望の押圧力になるよう設定することができる。
【００２１】
光源７を点灯し、チャート６ａの像をスクリーン８に投影する。スクリーン８上の像サイズや焦点合わせなどの、偏心調整以前の基本調整はチャート調整ステージ１４の矢印Ａ方向の調整、および第１レンズ群の光軸方向の位置調整により行う。
スクリーン上の像のコントラスト、解像力、その他の収差等を観察する。像の状態から、偏心有りと判断したときはｘｙステージをそれぞれの方向に移動させることによって、像の変化を見ながら最良の位置を探す。このとき、光学系には最終製品の絞りと実質同等である絞り開口部９ａが組み込まれているので、最終製品の状態で偏心調整したのとほとんど変わらず、信頼性の高い性能保証ができる。
被調整レンズ４ａの最良の位置が定まったら、第１レンズ群３を外して、被調整レンズ４ａの周囲と、第２レンズ群４の鏡筒の内側と、の間に光硬化型接着剤を注入し、光硬化させる。
このとき、絞り板９が被調整レンズ４ａの周辺部を覆った状態であるため、そのままでは接着剤注入や光照射ができない。そこで、前述のように、絞り板９を光学システム部の外に退避させる。第１レンズ群３と絞り板９がなければ光硬化型接着剤に対し、十分な光照射ができるので、短時間で接着が完了する。ただし、チャッキング部材１０は光硬化型接着剤の注入と光照射に対して後述のような光透過部が用意してある。
【００２２】
図３はチャッキング部材と絞り板の光学システム部からの退避状態を示す部分平面図である。実線は挿入状態、１点鎖線は退避状態を示す。
チャッキング部材１０の挿入・退避はステージ支持軸１９を中心として矢印Ｄのように行う。絞り板９の単独の退避は、絞り回動つまみ１２を回すことにより、絞り支持軸１１を中心に矢印Ｅのように行う。絞り支持軸１１は、絞り板９と一体化されており、チャッキング部材１０に回動可能に取り付けられている。絞り板９のチャッキング部材１０に対する位置決めは、チャッキング部材の一部に設けたピン１０ｃに絞り板のそれに対応する位置に設けた切り欠き部９ｃを当接させることで行う。矢印Ｄ、Ｅで示す回動量は、調整用鏡胴１３の着脱や、第１レンズ群３の着脱、光照射等に支障のない範囲であれば良いので、図示した回動量の大きさは単なる目安である。
調整用鏡胴１３は側面開口部１３ａを有し、チャッキング部材１０の回動を阻害しないようになっている。。
【００２３】
接着および硬化が完了すれば、チャッキング部材１０の爪部１０ａは被調整レンズ４ａを開放することができる。すなわち、ｚ１ステージ１６を上方に移動させ爪部１０ａを被調整レンズ４ａから離し、次いで、ｘｙステージを挿入時とは逆方向に回動させることによって、チャッキング部材を光学システム部から退避させる。
第２レンズ群３は偏心のない、完成された状態で得られるので、これを製品としての第３レンズ群を有する鏡胴に所定の関係で取り付け、さらに第１レンズ群を取り付けることで製品としての鏡胴が完成する。
図４は本発明を適用した鏡胴の完成例を示す図である。
同図において符号１００は製品としての鏡胴、Ｓは接着剤をそれぞれ示す。
図５は本発明を適用した鏡胴を用いたカメラを示す図である。
同図において符号２００はスチルカメラを示す。
【実施例２】
【００２４】
図６はチャッキング部材の爪部の一例を説明するための斜視図である。同図では爪部１０ａのある側から見た図で示してある。
爪部１０ａは被調整レンズ４ａの外周部分の角部を押さえるように形成される。
爪部１０ａは２個以上設けるのが良い。図では４個の例を示しているが、円形のレンズ外周を保持するためには、３個の爪が最も適している。
同図（ａ）では、爪部１０ａは、爪部品を用意して、チャッキング部材１０に対して接着、溶接等で固着する方法で形成した例として示したが、チャッキング部材の開口部１０ｂの内周の一部に突起を残して、それを爪状に折り返し曲げして形成しても良いし、同図（ｂ）に示すように、いわゆる切り曲げで複数個の爪部１０ａを形成しても良い。この場合、開口部１０ｂは被調整レンズの外形より小さくなるが、絞り板９の開口部９ａよりは大きくしてある。
被調整レンズ４ａは調整完了後、光硬化型接着剤で固定するので、接着剤の注入部を空けておく必要があり、且つ、レンズの周囲に光が届かなければならない。そのため、爪部１０ａの外側に孔があいていると都合がよい。しかし、それだけでは接着剤と光が十分全体に届かないので、チャッキング部材１０の被調整レンズ４ａ外周に相当する部分を可能な範囲切り欠いて光透過部１０ｄにするのがよい。
【００２５】
チャッキング部材１０の材質は金属でも、合成樹脂でも良いが、爪部１０ａはガラス製もしくは透明樹脂製のレンズをチャッキングするので、レンズを傷つけないことと、水平面内の２次元移動による調整の際、相互に滑らないことが必要で或る。したがって、爪部材１０ａは合成樹脂製にするか、あるいは金属爪で有れば、レンズとの接触面にやや柔軟性のあるゴム等の部材を貼り付けておくと良い。
先に、被調整レンズを下方に押圧する押圧力を、チャッキング部材の弾性力によって得ることの説明をしたが、チャッキング部材１０を合成樹脂製にすれば弾性力は容易に得られるが、金属製の場合は、上述の爪部１０ａに貼り付ける部材の弾性力で、同じ役割をさせることができる。
【実施例３】
【００２６】
図７はチャッキング部材の他の例を示す図である。同図（ａ）はチャッキング部材の平面図、同図（ｂ）は第２レンズ群との関係を示した爪部１０ａを含む断面図である。
爪部１０ａは例えば金属板の切り曲げの手法で形成されているとする。爪部１０ａの周囲１０ｄは切り落としておく。開口部１０ｂ’は絞り板９の絞り開口部９ａと同じ大きさにし、絞り板９を省略することもできる。その場合、チャッキング部材１０が絞り板を兼ねることになり、チャッキング部材が光学システム部２に挿入されて被調整レンズをチャッキングしたとき、絞りが光軸方向において所定の位置になければならないので、爪部材１０ａは図５に示したものより長くしておく必要がある。そのため、爪部１０ａには弾性部材１０ｅを貼り付けておく。こうすれば、絞り開口部を設計上の所定位置に位置させながら、被調整レンズを所定の位置でチャッキングしてなお、所望の押圧力を与えることができる。そして、爪部１０ａの周辺１０ｄが切り落とされていることにより、光硬化型接着剤の注入と接着剤への光照射が十分行える。この構成では、光照射に際し、絞り板退避という手順を踏む必要がなくなり、作業がやりやすくなる。ただし、切り欠き部１０ｄが不所望の光を透過してチャートの投影像に悪影響を与えるおそれがある場合には、絞り板９を省略せず、被調整レンズ４ａの外周部まで遮光するようにすればよい。その場合、絞り開口部は絞り板９とチャッキング部材１０のどちらに設けても良い。
なお、チャッキング部材１０の、ｚ１ステージ１６との接続部１０ｆは、剛性が許せば必ずしも広幅でなくとも良いので、一例として狭くして示してある。
【実施例４】
【００２７】
図８は光照射量をさらに大きくした構成を示す図である。
同図においては、爪部１０ａ以外の周囲１０ｄ’はすべて切り落としてある。周囲１０ｄ’は被調整レンズ４ａの外周にほぼ等しい円を基本に形成してある。この例の場合も爪部１０ａに弾性部材１０ｅを貼り付けておくのは図５の場合と同様である。
この実施例の場合もチャッキング部材１０の開口部１０ｂ’が絞り板を兼ねることができる。
このように構成すると、接着剤の硬化のために第１レンズ群を外して上方から光照射を行うと、接着剤を注入した部分、すなわち、被調整レンズの外周部分は、爪部１０ａのある部分を除いてすべて光が当たるので接着剤の硬化時間がさらに短くなる。
【実施例５】
【００２８】
図９は他の実施形態を説明するための一部省略図である。
同図において符号２１はスライダー、２２はスライド基板をそれぞれ示す。
本実施形態は、チャッキング部材１０を光学システム部２から退避させる他の構成である。図２ではステージ支持軸１９を中心にｘｙステージ１８を回動させる構成であったが、本実施形態ではｘｙステージ１８を直線的に後退させる構成である。
ｘｙステージ１８の基板部はスライダー２１となっており、スライド基板２２の上で矢印Ｆ方向に移動できるように構成されている。
この調整装置で調整を開始するときは、はじめにスライダー２１を図の左方向に移動させ、チャッキング部材１０が光学システム部２から退避して、調整用鏡胴１３の取り付けに支障がないようにしておく。以後所定の光学系の取り付けが終わったら、スライダー２１を右方向の停止位置まで移動させると、チャッキング部材１０の爪部１０ａと絞り板９の開口部９ａが所定の位置になるように設定してある。
本実施形態の構成にすると、調整装置１として左右方向の大きさは大きくなるが、奥行き方向は、チャッキング部材１０の回動による退避スペースを取らなくて良くなる分、小さくすることができる。また、調整用鏡胴１３の側面開口部１３ａも小さくすることができるので、調整用鏡胴の強度も高くすることができる。
【図面の簡単な説明】
【００２９】
【図１】本発明の本発明の実施形態を説明するための一部断面図である。
【図２】チャッキング部材を光学システム部に挿入した状態を説明する一部省略断面図である。
【図３】チャッキング部材と絞り板の光学システム部からの退避状態を示す部分平面図である。
【図４】本発明を適用した鏡胴の完成例を示す図である。
【図５】本発明を適用した鏡胴を用いたカメラを示す図である。
【図６】チャッキング部材の爪部の一例を説明するための斜視図である。
【図７】チャッキング部材の他の例を示す図である。
【図８】光照射量をさらに大きくした構成を示す図である。
【図９】他の実施形態を説明するための一部省略図である。
【符号の説明】
【００３０】
１      調整装置
２      光学システム部
３      第１レンズ群
４      第２レンズ群
５      第３レンズ群
９      絞り板
１０      チャッキング部材
１３      調整用鏡胴
１５      偏心調整部
【図１】
2005091728.tif 000003
【図２】
2005091728.tif 000004
【図３】
2005091728.tif 000005
【図４】
2005091728.tif 000006
【図５】
2005091728.tif 000007
【図６】
2005091728.tif 000008
【図７】
2005091728.tif 000009
【図８】
2005091728.tif 000010
【図９】
2005091728.tif 000011